(57)【要約】      （修正有）【課題】店舗における業務効率の低下を抑制する情報管理装置、情報管理方法及びプログラムを提供する。【解決手段】情報管理システムにおいて、情報管理装置は、利用者端末に対する利用者の操作に応じて利用者の店舗に対する順番待ちを受け付ける際または順番待ちを受け付けた後に、店舗において提供される商品またはサービスのオーダーを利用者に入力させるオーダー入力画面を利用者端末に表示する表示処理手段と、利用者端末に対する利用者の操作に応じてオーダー入力画面に対して入力された商品またはサービスのオーダーを示すオーダー情報を利用者端末から受信するオーダー情報受信手段と、利用者が店舗に到着しているかを判定する判定手段と、利用者が店舗に到着していると判定された場合、受信されたオーダー情報を店舗のスタッフに提示する提示手段とを具備する。【選択図】図３
2020123226.tif 000002
【特許請求の範囲】
【請求項１】
利用者が使用する利用者端末と通信可能に接続される情報管理装置において、
前記利用者端末に対する前記利用者の操作に応じて当該利用者の店舗に対する順番待ちを受け付ける際または当該順番待ちを受け付けた後に、前記店舗において提供される商品またはサービスのオーダーを当該利用者に入力させるオーダー入力画面を前記利用者端末に表示する表示処理手段と、
前記利用者端末に対する前記利用者の操作に応じて前記オーダー入力画面に対して入力された商品またはサービスのオーダーを示すオーダー情報を前記利用者端末から受信するオーダー情報受信手段と、
前記利用者が前記店舗に到着しているかを判定する判定手段と、
前記利用者が前記店舗に到着していると判定された場合、前記受信されたオーダー情報を前記店舗のスタッフに提示する提示手段と
を具備する情報管理装置。
【請求項２】
前記表示処理手段は、前記利用者の前記店舗に対する順番待ちが受け付けられた場合に、当該利用者に割り当てられた２次元コードを当該利用者が所持する利用者端末に表示し、
前記判定手段は、前記利用者端末に表示された２次元コードが前記店舗に設置されている読み取り装置によって読み取られた場合に、前記利用者が前記店舗に到着していると判定する
請求項１記載の情報管理装置。
【請求項３】
前記表示処理手段は、前記利用者の前記店舗に対する順番待ちが受け付けられた場合に、当該利用者に割り当てられた利用者番号を当該利用者が所持する利用者端末に表示し、
前記判定手段は、前記利用者端末に表示された利用者番号が前記店舗に設置されている店舗端末に入力された場合に、前記利用者が前記店舗に到着している判定する
請求項１記載の情報管理装置。
【請求項４】
前記店舗における空席の発生に関する店内情報を受信する店内情報受信手段を更に具備し、
前記提示手段は、前記オーダー情報受信手段によって受信されたオーダー情報を、前記店内情報受信手段によって前記店内情報が受信された場合に前記店舗のスタッフに提示する
請求項１記載の情報管理装置。
【請求項５】
前記店内情報は、前記店舗に設置されているＰＯＳレジから送信される、当該店舗を利用した他の利用者に対する会計が完了したことを示す情報を含む請求項４記載の情報管理装置。
【請求項６】
前記店内情報は、前記店舗に導入されているセルフオーダーシステムから送信される、当該店舗を利用している他の利用者によって会計が指示されたことを示す情報または当該店舗を利用している他の利用者のラストオーダーがされたことを示す情報を含む請求項４記載の情報管理装置。
【請求項７】
前記前記店内情報は、前記店舗のスタッフが所持する端末から送信される、当該店舗を利用した他の利用者が使用したテーブルまたは席が利用可能な状態になったことを示す情報を含む請求項４記載の情報管理装置。
【請求項８】
前記提示手段は、前記オーダー情報を、前記店舗において順番待ちをしている利用者が使用するテーブルまたは席を示す番号情報と対応づけて前記店舗のスタッフに提示する請求項１〜７のいずれか一項に記載の情報管理装置。
【請求項９】
前記店舗において順番待ちをしている利用者に対して空席のテーブルまたは席を割り当てることによって当該利用者を店舗内に自動案内する自動案内システムと更に通信可能に接続されており、
前記自動案内システムにおいて前記利用者に割り当てられたテーブルまたは席を示す番号情報を当該自動案内システムから取得する取得手段を更に具備する
請求項８記載の情報管理装置。
【請求項１０】
利用者が使用する利用者端末と通信可能に接続される情報管理装置が実行する情報管理方法であって、
前記利用者端末に対する前記利用者の操作に応じて当該利用者の店舗に対する順番待ちを受け付ける際または当該順番待ちを受け付けた後に、前記店舗において提供される商品またはサービスのオーダーを当該利用者に入力させるオーダー入力画面を前記利用者端末に表示するステップと、
前記利用者端末に対する前記利用者の操作に応じて前記オーダー入力画面に対して入力された商品またはサービスのオーダーを示すオーダー情報を前記利用者端末から受信するステップと、
前記利用者が前記店舗に到着しているかを判定するステップと、
前記利用者が前記店舗に到着していると判定された場合、前記受信されたオーダー情報を前記店舗のスタッフに提示するステップと
を具備する情報管理方法。
【請求項１１】
利用者が使用する利用者端末と通信可能に接続される情報管理装置のコンピュータによって実行されるプログラムであって、
前記コンピュータに、
前記利用者端末に対する前記利用者の操作に応じて当該利用者の店舗に対する順番待ちを受け付ける際または当該順番待ちを受け付けた後に、前記店舗において提供される商品またはサービスのオーダーを当該利用者に入力させるオーダー入力画面を前記利用者端末に表示するステップと、
前記利用者端末に対する前記利用者の操作に応じて前記オーダー入力画面に対して入力された商品またはサービスのオーダーを示すオーダー情報を前記利用者端末から受信するステップと、
前記利用者が前記店舗に到着しているかを判定するステップと、
前記利用者が前記店舗に到着していると判定された場合、前記受信されたオーダー情報を前記店舗のスタッフに提示するステップと
を実行させるためのプログラム。
【発明の詳細な説明】
【技術分野】
【０００１】
本発明は、情報管理装置、情報管理方法及びプログラムに関する。
【背景技術】
【０００２】
一般に、飲食店等の店舗を利用する利用者は、店舗に来店した時点で店舗が満席の状態にある場合、当該店舗が利用可能となるまで順番待ちをする必要がある。
【０００３】
近年では、このような順番待ちを受け付けて管理するためのシステム（以下、順番管理システムと表記）が開発されており、当該順番管理システムにおいては、順番待ちの管理業務を効率化することができる。
【０００４】
ところで、例えば移動端末機で事前にメニューを注文しておくことが可能な技術が開示されている（例えば、特許文献１を参照）。このような技術によれば、店舗に着席してから注文をする必要がないため、店舗においてメニューを注文する時間等を短縮することができる。
【先行技術文献】
【特許文献】
【０００５】
【特許文献１】特開２０１６−１６４７８４号公報
【発明の概要】
【発明が解決しようとする課題】
【０００６】
ここで、上記した順番管理システムにおいては、店舗に来店することなく例えば利用者が所持する利用者端末から順番待ちをすることができる場合があるが、当該利用者は、明示的に当該順番待ちをキャンセルすることなく店舗に来店しない場合がある。
【０００７】
このような場合において、例えば利用者が事前にメニューを注文しており、店舗において当該メニューの準備が開始されていたものとすると、当該準備が無駄になる可能性が高く、店舗における業務効率が低下する。
【０００８】
そこで、本発明の目的は、店舗における業務効率の低下を抑制することが可能な情報管理装置、情報管理方法及びプログラムを提供することにある。
【課題を解決するための手段】
【０００９】
本発明の１つの態様によれば、利用者が使用する利用者端末と通信可能に接続される情報管理装置が提供される。前記情報管理装置は、表示処理手段と、オーダー情報受信手段と、判定手段と、提示手段とを具備する。前記表示処理手段は、前記利用者端末に対する前記利用者の操作に応じて当該利用者の店舗に対する順番待ちを受け付ける際または当該順番待ちを受け付けた後に、前記店舗において提供される商品またはサービスのオーダーを当該利用者に入力させるオーダー入力画面を前記利用者端末に表示する。前記オーダー情報受信手段は、前記利用者端末に対する前記利用者の操作に応じて前記オーダー入力画面に対して入力された商品またはサービスのオーダーを示すオーダー情報を前記利用者端末から受信する。前記判定手段は、前記利用者が前記店舗に到着しているかを判定する。前記提示手段は、前記利用者が前記店舗に到着していると判定された場合、前記受信されたオーダー情報を前記店舗のスタッフに提示する。
【発明の効果】
【００１０】
本発明は、店舗における業務効率の低下を抑制することを可能とする。
【図面の簡単な説明】
【００１１】
【図１】本発明の実施形態に係る情報管理装置を備える情報管理システムの構成の一例を示す図。
【図２】情報管理装置のハードウェア構成の一例を示す図。
【図３】情報管理装置の機能構成の一例を示すブロック図。
【図４】入店予定時刻が指定されていない順番待ちを示す順番待ち情報を登録する際の情報管理システムの処理手順の一例を示すシーケンスチャート。
【図５】入店予定時刻が指定されている順番待ちを示す順番待ち情報を登録する際の情報管理システムの処理手順の一例を示すシーケンスチャート。
【図６】格納部に登録された順番待ち情報のデータ構造の一例を示す図。
【図７】第１店舗端末に順番待ち情報を表示する際の情報管理システムの処理手順の一例を示すシーケンスチャート。
【図８】スタッフ画面生成処理の処理手順を示すフローチャート。
【図９】第１店舗端末に表示されるスタッフ画面の一例を示す図。
【図１０】並び替えボタンが押下された場合に第１店舗端末に表示されるスタッフ画面の一例を示す図。
【図１１】並び替えボタンが押下された場合に第１店舗端末に表示されるスタッフ画面の別の例を示す図。
【図１２】到着登録処理の処理手順の一例を示すシーケンスチャート。
【図１３】到着登録処理が実行された後に並び替えボタンが押下された場合に第１店舗端末に表示されるスタッフ画面の具体例について説明するための図。
【図１４】到着登録処理が実行された後に並び替えボタンが押下された場合に第１店舗端末に表示されるスタッフ画面の具体例について説明するための図。
【図１５】店舗のスタッフにオーダー情報を提示する際の情報管理装置の処理手順の一例を示すフローチャート。
【図１６】オーダー提示画面の一例を示す図。
【発明を実施するための形態】
【００１２】
以下、図面を参照して、本発明の実施形態について説明する。  
図１は、本実施形態に係る情報管理装置を備える情報管理システム（ネットワークシステム）の構成の一例を示す。情報管理システムは、各種店舗（施設）における利用者の順番待ちを管理するためのシステムである。なお、本実施形態において、店舗には、例えば飲食店、薬局、病院、美容院、旅行代理店、スマートフォンまたは携帯電話の購入及び契約が可能なショップ、及びアミューズメント施設等が含まれる。すなわち、本実施形態における店舗は、当該店舗を利用者が利用するために順番待ちが可能な店舗であればよい。以下においては、本実施形態における店舗は主に飲食店であるものとして説明する。
【００１３】
図１に示すように、情報管理システムは、情報管理装置１０、利用者端末２０、第１店舗端末３０及び第２店舗端末４０を備える。情報管理装置１０は、利用者端末２０、第１店舗端末３０及び第２店舗端末４０とそれぞれインターネットのようなネットワーク５０を介して通信可能に接続されている。
【００１４】
情報管理装置１０は、店舗における利用者による順番待ちを管理するための機能を有するサーバ装置である。なお、情報管理装置１０の構成については後述する。
【００１５】
利用者端末２０は、例えば店舗を利用する利用者が使用（携帯）する端末装置である。利用者端末２０は、例えばスマートフォン及びタブレット端末等を含む。利用者端末２０は、店舗に対する順番待ちをする際に利用者によって使用される。
【００１６】
第１店舗端末３０及び第２店舗端末４０は、順番待ちが可能な店舗に設けられている端末装置である。
【００１７】
第１店舗端末３０は、例えば店舗のレジ付近に設置され、主に店舗のスタッフによって使用される。店舗のスタッフは、第１店舗端末３０において順番待ちの状況等を確認することができる。
【００１８】
第２店舗端末４０は、例えば店舗の入り口（つまり、店頭）付近に設置され、主に店舗に来店する利用者（客）によって使用される。第２店舗端末４０は、後述する２次元コードを読み取ることが可能な読み取り装置としての機能を有する。
【００１９】
本実施形態においては、第１店舗端末３０及び第２店舗端末４０が異なる端末であるものとして説明するが、第１店舗端末３０及び第２店舗端末４０は一体として構成されていてもよい。
【００２０】
なお、図１においては便宜的に利用者端末２０、第１店舗端末３０及び第２店舗端末４０がそれぞれ１つずつ示されているが、情報管理装置１０には、複数の利用者端末２０が接続されていてもよいし、複数の第１店舗端末３０及び第２店舗端末４０が接続されていてもよい。具体的には、情報管理装置１０には、例えば情報管理システムに予め登録している利用者と同数の利用者端末２０が接続され得る。また、情報管理装置１０には、例えば情報管理システムを導入している店舗と同数の第１店舗端末３０及び第２店舗端末４０が接続され得る。
【００２１】
図２は、図１に示す情報管理装置１０のハードウェア構成の一例を示す。図２に示すように、情報管理装置１０においては、バス１１に、不揮発性メモリ１２、ＣＰＵ１３、メインメモリ１４及び通信デバイス１５等が接続されている。なお、不揮発性メモリ１２及びメインメモリ１４は、情報管理装置１０の記憶装置を構成する。
【００２２】
不揮発性メモリ１２は、例えばオペレーティングシステム（ＯＳ）及び上記した店舗における順番待ちを管理するためのプログラム（以下、順番管理プログラムと表記）を含む各種プログラムを格納する。
【００２３】
ＣＰＵ１３は、例えば不揮発性メモリ１２に格納されている各種プログラムを実行するプロセッサである。なお、ＣＰＵ１３は、情報管理装置１０全体の制御を実行する。
【００２４】
メインメモリ１４は、例えばＣＰＵ１３が各種プログラムを実行する際に必要とされるワークエリア等として使用される。
【００２５】
図２においては不揮発性メモリ１２及びメインメモリ１４のみが示されているが、情報管理装置１０は、ＨＤＤ（Hard Disk Drive）及びＳＳＤ（Solid State Drive）等の他の記憶装置を備えていてもよい。
【００２６】
通信デバイス１５は、例えばネットワーク５０を介して利用者端末２０、第１店舗端末３０及び第２店舗端末４０等の外部装置と実行される通信を制御する機能を有する。なお、通信デバイス１５によれば、例えば無線ＬＡＮ及びＷｉｆｉ（登録商標）等の無線通信機能を実現することができる。
【００２７】
図３は、本実施形態に係る情報管理装置１０の機能構成の一例を示すブロック図である。図３に示すように、情報管理装置１０は、受付部１０１、登録部１０２、管理部１０３、表示処理部１０４及び格納部１０５等を含む。
【００２８】
本実施形態において、各部１０１〜１０４は、例えば図２に示すＣＰＵ１３（つまり、情報管理装置１０のコンピュータ）が不揮発性メモリ１２に格納されている順番管理プログラムを実行すること（つまり、ソフトウェア）によって実現されるものとする。なお、この順番管理プログラムは、コンピュータ読み取り可能な記憶媒体に予め格納して頒布可能である。また、この順番管理プログラムは、例えばネットワークを介して情報管理装置１０にダウンロードされても構わない。
【００２９】
ここでは、各部１０１〜１０４がソフトウェアによって実現されるものとして説明したが、当該各部１０１〜１０４は、ハードウェアによって実現されてもよいし、ソフトウェア及びハードウェアの組み合わせ構成によって実現されてもよい。
【００３０】
また、本実施形態において、格納部１０５は、例えば図２に示す不揮発性メモリ１２または他の記憶装置等によって実現される。
【００３１】
受付部１０１は、利用者端末２０に対する利用者の操作に基づいて、店舗に対する順番待ちを受け付ける。なお、受付部１０１によって受け付けられる順番待ちには、後述するように入店予定時刻が指定されていない順番待ちと入店予定時刻が指定されている順番待ち（将来順番待ち）とが含まれる。
【００３２】
登録部１０２は、受付部１０１によって順番待ちが受け付けられた場合、当該順番待ちを示す順番待ち情報を格納部１０５に登録（格納）する。
【００３３】
なお、上記した順番待ち情報は、当該順番待ち情報によって示される順番待ちが受け付けられた順に格納部１０５に格納される。
【００３４】
管理部１０３は、格納部１０５に格納されている順番待ち情報（によって示される順番待ち）を管理するための各種処理を実行する。
【００３５】
また、管理部１０３は、店舗において提供される商品（例えば、飲食物）のオーダーを利用者に入力させる画面（以下、オーダー入力画面と表記）を生成する。
【００３６】
更に、管理部１０３は、例えば第１店舗端末３０からの要求に応じて、店舗のスタッフが順番待ちの状況を確認するための画面（以下、スタッフ画面と表記）を生成する。
【００３７】
なお、スタッフ画面において、上記した入店予定時刻が指定されていない順番待ちを示す順番待ち情報（以下、第１順番待ち情報と表記）は、当該順番待ちが受け付けられた順に表示される。一方、入店予定時刻が指定されている順番待ちを示す順番待ち情報（以下、第２順番待ち情報と表記）は、当該入店予定時刻に基づいて複数の第１順番待ち情報の間に挿入されてスタッフ画面に表示される。すなわち、入店予定時刻が指定されている順番待ちは、当該入店予定時刻（を含む所定期間内）に利用者が店舗に入店することが可能となるように管理（調整）される。
【００３８】
表示処理部１０４は、利用者の店舗に対する順番待ちを受け付ける際に、管理部１０３によって生成されたオーダー入力画面を利用者端末２０に送信することによって、当該オーダー入力画面を利用者端末２０に表示する。なお、利用者端末２０にオーダー入力画面が表示された場合、利用者は、利用者端末２０を操作することによって店舗において提供される商品のオーダーをオーダー入力画面に入力することができる。オーダー入力画面に入力されたオーダーを示す情報（以下、オーダー情報と表記）は、例えば受付部１０１によって受信され、情報管理装置１０を介して店舗のスタッフに提示される。
【００３９】
また、表示処理部１０４は、管理部１０３によって生成されたスタッフ画面を第１店舗端末３０に送信することによって、当該スタッフ画面を第１店舗端末３０に表示する。
【００４０】
ここでは、主にオーダー入力画面及びスタッフ画面について説明したが、本実施形態において利用者端末２０及び第１店舗端末３０に表示される画面は、管理部１０３によって生成され、表示処理部１０４によって表示される。
【００４１】
以下、本実施形態に係る情報管理装置１０の動作について説明する。まず、図４のシーケンスチャートを参照して、上記した入店予定時刻が指定されていない順番待ちを示す順番待ち情報（第１順番待ち情報）を登録する際の情報管理システムの処理手順の一例について説明する。ここでは、入店予定時刻が指定されていない順番待ちをする利用者を対象利用者と称する。
【００４２】
まず、対象利用者が入店予定時刻が指定されていない順番待ちをする場合、当該対象利用者は、利用者端末２０に表示される所定のＷｅｂページ（サイト）において当該対象利用者に割り当てられているログインＩＤ及びパスワード（以下、対象利用者のログインＩＤ及びパスワードと表記）を入力することによって情報管理システム（情報管理装置１０）にログインする（ステップＳ１）。本実施形態においてはＷｅｂページを介してログインするものとして説明するが、例えば利用者端末２０においてインストールされた所定のアプリケーションプログラム等を起動してログインする構成であってもよい。
【００４３】
なお、対象利用者のログインＩＤ及びパスワードは、対象利用者が例えば会員登録等を行う際に設定され、会員情報として情報管理装置１０において管理されているものとする。図４においては示されていないが、利用者端末２０においてログインＩＤ及びパスワードが入力された場合、当該ログインＩＤ及びパスワードが利用者端末２０から情報管理装置１０に送信され、当該ログインＩＤ及びパスワードが情報管理装置１０において管理されている対象利用者のログインＩＤ及びパスワードと一致する場合に、対象利用者はログインすることができる。
【００４４】
上記した会員情報には、対象利用者のログインＩＤ及びパスワード以外に、例えば会員名（つまり、対象利用者の氏名）及びメールアドレス等が含まれる。
【００４５】
ステップＳ１において情報管理システムにログインした場合、対象利用者は、利用者端末２０を操作することによって、入店予定時刻を指定するか否かを選択することができる。なお、入店予定時刻が指定されていない順番待ちを登録する場合には、入店予定時刻を指定しないことが選択される。
【００４６】
入店予定時刻を指定しないことが選択された場合、利用者端末２０には、順番待ちの後に店舗に入店する人数を入力することが可能な画面（以下、人数入力画面と表記）が表示される。対象利用者は、利用者端末２０を操作することによって、この人数入力画面において人数を入力することができる。
【００４７】
なお、本実施形態における人数入力画面は少なくとも人数を入力することができるものであればよいが、当該人数入力画面は、例えば対象利用者の氏名、電話番号または店舗に対する要望等を入力することができるようなものであってもよい。なお、上記したように店舗が飲食店である場合には、当該店舗に対する要望としては、例えば対象利用者が利用する席の種別としてテーブル席、カウンター席及び座敷等を選択することができる。また、禁煙席または喫煙席を選択することができるようにしてもよい。
【００４８】
ここでは店舗が飲食店である場合を想定しているが、店舗が他の業種または業態のものである場合には、人数入力画面において当該業種または業態に応じた他の情報が入力されても構わない。
【００４９】
上記したように人数入力画面に対して対象利用者が人数を入力した場合、利用者端末２０は、当該人数入力画面に対して入力された人数を取得する（ステップＳ２）。
【００５０】
利用者端末２０は、ステップＳ２において取得された人数を含む受付要求を、ネットワーク５０を介して情報管理装置１０に送信する（ステップＳ３）。
【００５１】
情報管理装置１０に含まれる受付部１０１は、利用者端末２０から送信された順番待ちの受付要求を受信する。これにより、受付部１０１は、店舗に対する順番待ちを受け付ける。
【００５２】
次に、登録部１０２は、受付部１０１によって受け付けられた順番待ちを登録するために、当該順番待ちを示す順番待ち情報を生成する（ステップＳ４）。
【００５３】
ここで、ステップＳ４の処理について説明する。まず、受付部１０１によって順番待ちが受け付けられた場合、登録部１０２は、当該順番待ちをする対象利用者に対して受付番号を発行する。この受付番号は、例えば店舗の営業開始から順番待ちが受け付けられる度に連番で発行される。なお、受付番号は、営業日が変わればリセットされるものとする。
【００５４】
また、登録部１０２は、受付部１０１によって順番待ちが受け付けられた時刻（登録時刻）を取得する。なお、この登録時刻は、例えば情報管理装置１０内のクロック等から取得される。
【００５５】
また、登録部１０２は、対象利用者の氏名を取得する。なお、対象利用者の氏名は、上記したように会員登録の際に情報管理装置１０内に登録されているものとする。具体的には、対象利用者の氏名は、対象利用者のログインＩＤ及びパスワードとともに会員情報として登録されており、ステップＳ１の処理時に入力されるログインＩＤ及びパスワードに基づいて取得可能である。
【００５６】
これにより、登録部１０２は、受付部１０１によって受信された受付要求に含まれる人数に加えて、上記した受付番号、登録時刻及び氏名を含む順番待ち情報を生成する。
【００５７】
ここで、本実施形態において、登録部１０２によって生成される順番待ち情報は、更にアライバル情報を含むものとする。アライバル情報は、対象利用者が店舗に到着しているか否かを示す情報である。なお、ステップＳ４においては、対象利用者が店舗に到着していないことを示すアライバル情報を含む順番待ち情報が生成される。
【００５８】
上記したようにステップＳ４において生成された順番待ち情報は、登録部１０２によって格納部１０５に登録される（ステップＳ５）。
【００５９】
ステップＳ５の処理が実行されると、管理部１０３は、対象利用者に対して割り当てられる２次元コードを生成する（ステップＳ６）。ステップＳ６においては、例えば対象利用者を識別可能な情報が保持された２次元コードが生成される。なお、対象利用者を識別可能な情報には、例えばステップＳ５において登録された順番待ち情報に含まれる受付番号または氏名等が含まれる。
【００６０】
次に、順番待ち情報（対象利用者による順番待ち）の登録が完了した旨の通知（以下、登録完了通知と表記）が情報管理装置１０利用者端末２０に送信される（ステップＳ７）。なお、登録完了通知には、ステップＳ５において登録された順番待ち情報に含まれる受付番号及びステップＳ６において生成された２次元コードが含まれる。
【００６１】
情報管理装置１０から送信された登録完了通知（に含まれる受付番号及び２次元コード）は、利用者端末２０において受信される。登録完了通知に含まれる受付番号は、利用者端末２０において表示される（ステップＳ８）。これにより、対象利用者は、当該対象利用者による順番待ちが受け付けられたこと及び当該対象利用者に対して発行された受付番号を確認することができる。
【００６２】
なお、登録完了通知は、利用者端末２０（例えば、スマートフォン等）上で動作するアプリケーションにおけるＰｕｓｈ通知により利用者端末２０に表示（通知）されてもよい。また、登録完了通知は、上記した会員情報に含まれる対象利用者のメールアドレスを用いてメールで送信されて、利用者端末２０に表示されてもよい。
【００６３】
なお、上記した登録完了通知には、受付番号及び２次元コードの他に、登録時刻等の情報が含まれていてもよい。この場合、登録時刻等を利用者端末２０に表示することが可能となる。
【００６４】
対象利用者は、上記したように順番待ち（を示す順番待ち情報）が登録された後に店舗に来店し、利用者端末２０に表示された受付番号に基づいて店舗のスタッフに呼び出されることによって、当該店舗に入店することができる。
【００６５】
なお、上記した登録完了通知に含まれる２次元コードも受付番号と同様に利用者端末２０に表示することができるが、当該２次元コードは、対象利用者が店舗に到着した際に用いられる。
【００６６】
ここで、本実施形態において、対象利用者は、上記したように順番待ちが受け付けられた後（つまり、順番待ち情報が登録された後）に、利用者端末２０を用いてオーダーをしておくことができる。この場合、利用者端末２０には、店舗において提供される商品を利用者に入力させるオーダー入力画面が表示される。
【００６７】
なお、オーダー入力画面においては、例えば店舗で用意されているメニュー等が表示され、当該メニューの中から対象利用者が所望の商品を選択することにより、当該商品のオーダー（つまり、注文する商品）を入力することができるものとする。
【００６８】
具体的には、上記したように店舗が飲食店である場合、対象利用者は、オーダー入力画面を介して例えば最初に注文する料理またはドリンク等（つまり、ファーストオーダー）を入力することができる。
【００６９】
なお、オーダー入力画面においては、例えば上記した人数入力画面において入力された人数と同数または当該人数と同程度の数のオーダー（商品）を入力させるようにしてもよい。すなわち、オーダー入力画面において入力されるオーダーの数は、受付画面において入力された人数に基づいて決定されてもよい。
【００７０】
この場合には、例えば管理部１０３がステップＳ２において取得された人数に基づいて決定された数のオーダーを入力させるオーダー入力画面を生成し、表示処理部１０４が当該オーダー入力画面を利用者端末２０に表示すればよい。
【００７１】
また、例えば利用者が分散しており店舗で現地集合する場合や、他人の携帯端末（利用者端末２０）を操作したくないまたは他人に自身の利用者端末２０を操作させたくない場合等においては、順番待ちの受付番号を共通にして複数の利用者端末２０にオーダー入力画面を表示（オーダーページを案内）し、オーダーを受け付けるようにしてもよい。
【００７２】
対象利用者がオーダー入力画面に対してオーダーを入力した場合、利用者端末２０は、当該オーダーを示すオーダー情報を取得する（ステップＳ９）。
【００７３】
ステップＳ９において取得されたオーダー情報は、利用者端末２０から情報管理装置１０に送信される（ステップＳ１０）。
【００７４】
ステップＳ１０において送信されたオーダー情報は、情報管理装置１０において受信される。この場合、登録部１０２は、受信されたオーダー情報（ステップＳ９において取得されたオーダー情報）を上記したステップＳ５において格納部１０５に登録された順番待ち情報に追加することによって、当該オーダー情報を格納部１０５に登録する（ステップＳ１１）。換言すれば、格納部１０５には、オーダー情報を含む順番待ち情報が格納される。
【００７５】
次に、図５のシーケンスチャートを参照して、入店予定時刻が指定されている順番待ちを示す順番待ち情報（第２順番待ち情報）を登録する際の情報管理システムの処理手順について説明する。
【００７６】
まず、図４に示すステップＳ１の処理に相当するステップＳ１１の処理が実行される。ステップＳ１１において情報管理システムにログインした場合、対象利用者は、利用者端末２０を操作することによって、入店予定時刻を指定するか否かを選択することができる。なお、入店予定時刻が指定されている順番待ちを登録する場合には、入店予定時刻を指定することが選択される。
【００７７】
入店予定時刻を指定することが選択された場合、利用者端末２０は、指定することが可能な入店予定時刻に関する問い合わせを情報管理装置１０に送信する（ステップＳ１２）。この場合、情報管理装置１０は、格納部１０５に格納されている順番待ち情報に基づいて、他の利用者によって入店予定時刻が指定されていない時間帯（の情報）を、利用者端末２０からの問い合わせに対する応答として当該利用者端末２０に送信する（ステップＳ１３）。
【００７８】
情報管理装置１０からの応答が受信されると、利用者端末２０には、店舗に入店する人数及び入店予定時刻を入力することが可能な画面（以下、人数及び入店予定時刻入力画面と表記）が表示される。人数及び入店予定時刻入力画面は入店予定時刻を入力することができる点以外は上記した人数入力画面と同様であるため、その詳しい説明を省略する。なお、人数及び入店予定時刻入力画面においては、他の利用者によって入店予定時刻が指定されていない時間帯において入店予定時刻を入力することができる。
【００７９】
対象利用者が人数及び入店予定時刻入力画面に対して人数及び入店予定時刻を入力した場合、利用者端末２０は、当該人数及び入店予定時刻を取得する（ステップＳ１４）。
【００８０】
利用者端末２０は、ステップＳ１４において取得された人数及び入店予定時刻を含む受付要求を、ネットワーク５０を介して情報管理装置１０に送信する（ステップＳ１５）。
【００８１】
情報管理装置１０に含まれる受付部１０１は、利用者端末２０から送信された順番待ちの受付要求を受信する。これにより、受付部１０１は、店舗に対する順番待ちを受け付ける。
【００８２】
次に、登録部１０２は、受付部１０１によって受け付けられた順番待ちを登録するために、当該順番待ちを示す順番待ち情報を生成する（ステップＳ１６）。
【００８３】
ここで、ステップＳ１６の処理について説明する。本実施形態において、上記した第１順番待ち情報（によって示される順番待ち）の場合、当該順番待ちをしている利用者は受付番号順に呼び出される。このため、図４に示す処理においては、第１順番待ち情報を生成する際に受付番号を発行する。
【００８４】
これに対して、第２順番待ち情報（入店予定時刻が指定されている順番待ちを示す順番待ち情報）では入店予定時刻に対象利用者が店舗に入店することが可能となるように順番待ちが管理（調整）されるが、この場合の対象利用者は、受付番号で呼び出されてもよいし、当該対象利用者の氏名で呼び出されてもよい。
【００８５】
すなわち、対象利用者が受付番号で呼び出される場合には当該対象利用者に対して受付番号が発行されるが、当該対象利用者が氏名で呼び出される場合には受付番号は発行されなくてもよい。
【００８６】
なお、第２順番待ち情報の生成において受付番号が発行される場合において、第１順番待ち情報を生成する際に発行される受付番号と同様に順番待ちが受け付けられる度に（つまり、登録時刻順に）連番で発行される番号を受付番号とすると、上記したように順番待ちが調整された（つまり、並び替えられた）際に混乱を生じる可能性がある。このため、第２順番待ち情報の生成において受付番号が発行される場合、当該受付番号は、第１順番待ち情報を生成する際に発行される受付番号とは区別可能な番号としてもよい。
【００８７】
以下の説明においては、入店予定時刻が指定されている順番待ちをする利用者は氏名で呼び出されるものとする。
【００８８】
ステップＳ１７において、登録部１０２は、受付部１０１によって順番待ちが受け付けられた時刻（登録時刻）を取得する。また、上記したように対象利用者を氏名で呼び出す場合、登録部１０２は、当該対象利用者の氏名を取得する。この対象利用者の氏名は、上記したように会員情報から取得可能である。
【００８９】
これにより、登録部１０２は、受付部１０１によって受信された受付要求に含まれる人数、入店予定時刻及びオーダー情報に加えて、上記した登録時刻及び氏名を含む順番待ち情報を生成する。
【００９０】
なお、ステップＳ１６において登録部１０２によって生成される順番待ち情報は、上記したように対象利用者が店舗に到着していないことを示すアライバル情報を更に含む。
【００９１】
ステップＳ１６の処理が実行されると、当該ステップＳ１６において生成された順番待ち情報は、登録部１０２によって格納部１０５に登録される（ステップＳ１７）。
【００９２】
次に、図４に示すステップＳ６及びＳ７の処理に相当するステップＳ１８及びＳ１９の処理が実行される。なお、ステップＳ１９において情報管理装置１０から利用者端末２０に送信される登録完了通知には、ステップＳ１７において登録された順番待ち情報に含まれる入店予定時刻及びステップＳ１８において生成された２次元コードが含まれる。
【００９３】
ステップＳ１９において情報管理装置１０から送信された登録完了通知は、利用者端末２０において受信される。登録完了通知に含まれる入店予定時刻は、利用者端末２０において表示される（ステップＳ２０）。これにより、対象利用者は、対象利用者による順番待ちが受け付けられたこと及び当該対象利用者によって入力された入店予定時刻を確認することができる。
【００９４】
なお、上記した登録完了通知には、入店予定時刻及び２次元コードの他に、登録時刻等の情報が含まれていてもよい。この場合、登録時刻等を利用者端末２０に表示することが可能となる。
【００９５】
対象利用者は、ステップＳ２０において表示された入店予定時刻に店舗に来店し、例えば順番待ち情報に含まれる氏名で店舗のスタッフに呼び出されることによって、当該店舗に入店することができる。
【００９６】
上記した登録完了通知に含まれる２次元コードも入店予定時刻と同様に利用者端末２０に表示することができるが、当該２次元コードは、対象利用者が店舗に到着した際に用いられる。
【００９７】
なお、上記したように第２順番待ち情報の生成において受付番号が発行される場合には、対象利用者は、当該受付番号で呼び出される。この場合、ステップＳ１９においては、受付番号を含む登録完了通知が送信される。これによれば、対象利用者は、利用者端末２０に表示される受付番号を確認することができるものとする。
【００９８】
ここで、対象利用者は、順番待ちが受け付けられた後（つまり、順番待ち情報が登録された後）に、利用者端末２０を用いてオーダーをしておくことができる。この場合、上記した図４に示すステップＳ９〜Ｓ１１の処理に相当するステップＳ２１〜Ｓ２３の処理が実行されればよい。ステップＳ２３においては、ステップＳ２１において取得されたオーダー情報をステップＳ１７において格納部１０５に登録された順番待ち情報に追加することによって、当該オーダー情報が格納部１０５に登録される。
【００９９】
なお、上記した図４及び図５に示すように、本実施形態においては対象利用者が情報管理システムにログインするものとして説明したが、当該ログインは必須ではない。例えば会員登録していないユーザの順番待ちを受け付けて、ワンタイムの認証コードを発行してもよい。認証コードは上記した２次元コードと兼ねてもよい。
【０１００】
また、本実施形態においては、順番待ちが受け付けられた後（順番待ち情報が登録された後）にオーダーが入力（オーダー情報が登録）されるものとして説明したが、当該オーダーの入力は順番待ちが受け付けられる際（例えば、人数等が入力される際）等に行われても構わない。
【０１０１】
また、オーダー情報の登録（オーダー入力画面に対するオーダーの入力）には、時間的制限が課されていてもよい。例えば対象利用者がしている順番待ちを示す順番待ち情報に含まれる登録時刻（つまり、順番待ちが受け付けられた時刻）から予め定められた期間以内でなければ、オーダー入力画面においてオーダーを入力することができない（つまり、オーダー情報を登録することができない）構成としてもよい。また、対象利用者よりも前に順番待ちをしている利用者の組の数が予め定められた数以上である場合にのみオーダー入力画面においてオーダーを入力することができるようにしてもよい。また、店内情報が受信された時点で、オーダー入力画面においてオーダーを入力することができないようにしてもよい。
【０１０２】
また、図４及び図５に示す処理が実行されることによって登録されたオーダー情報は、例えば利用者端末４０を介して変更することができるようにしてもよい。
【０１０３】
ここで、図６は、上記した図４及び図５に示す処理が実行されることによって格納部１０５に登録された順番待ち情報のデータ構造の一例を示す。
【０１０４】
図６に示す例では、格納部１０５には、順番待ち情報１０５ａ〜１０５ｆが格納（登録）されている。図６に示すように、順番待ち情報１０５ａ〜１０５ｆは、受付番号、人数、入店予定時刻、登録時刻、氏名、オーダー情報及びアライバル情報を含む。
【０１０５】
順番待ち情報１０５ａ〜１０５ｆに含まれる受付番号、人数、入店予定時刻、登録時刻、氏名、オーダー情報及びアライバル情報については、上記した通りであるため、ここではその詳しい説明を省略する。
【０１０６】
図６に示す順番待ち情報１０５ａ〜１０５ｆは、情報管理装置１０（受付部１０１）によって順番待ちが受け付けられた順（つまり、登録時刻順）に格納部１０５に格納されている。
【０１０７】
順番待ち情報１０５ａ〜１０５ｆのうち、入店予定時刻を含まない順番待ち情報１０５ａ及び１０５ｃ〜１０５ｆは、入店予定時刻が指定されていない順番待ちを示す第１順番待ち情報である。一方、順番待ち情報１０５ａ〜１０５ｆのうち、入店予定時刻を含む順番待ち情報１０５ｂは、入店予定時刻が指定されている順番待ちを示す第２順番待ち情報である。
【０１０８】
なお、図６において、順番待ち情報によって示される順番待ちをしている利用者が店舗に到着している場合には、アライバル情報は「済」と表記されている。一方、順番待ち情報によって示される順番待ちをしている利用者が店舗に到着していない場合には、アライバル情報は「未」と表記されている。
【０１０９】
上記したように順番待ち情報が格納部１０５に登録された時点ではアライバル情報は「未」であるが、アライバル情報を「未」から「済」に変更する処理（つまり、利用者が店舗に到着したことを登録する処理）については後述する。
【０１１０】
ここで、本実施形態においては第１店舗端末３０に順番待ちの状況（つまり、順番待ち情報）を表示することが可能であるが、図６に示す順番待ち情報１０５ａ〜１０５ｆをそのまま表示した場合には、店舗のスタッフは、第２順番待ち情報（順番待ち情報１０５ｂ）によって示される順番待ちをしている利用者をどのタイミングで入店させるのかを容易に把握することができない。
【０１１１】
このため、本実施形態においては、格納部１０５に格納されている順番待ち情報を表示する際に、当該順番待ち情報の順番を第２順番待ち情報に含まれる入店予定時刻に基づいて並べ替える処理を実行する。
【０１１２】
図７のシーケンスチャートを参照して、第１店舗端末３０に順番待ち情報を表示する際の情報管理システムの処理手順の一例について説明する。
【０１１３】
第１店舗端末３０に順番待ち情報を表示する場合、当該第１店舗端末３０から情報管理装置１０に上記したスタッフ画面の表示（または更新）が要求される（ステップＳ３１）。このステップＳ３１の処理は、例えば店舗のスタッフによる第１店舗端末３０に対する操作が行われた場合、または予め定められた期間、第１店舗端末３０に対する操作が行われなかった場合に実行される。
【０１１４】
管理部１０３は、第１店舗端末３０からの要求に応じて、格納部１０５に格納（登録）されている順番待ち情報を取得する（ステップＳ３２）。なお、ステップＳ３２においては、格納部１０５に格納されている順番待ち情報のうち、まだ店舗に案内されていない利用者の順番待ちを示す順番待ち情報（以下、未案内の順番待ち情報と表記）が取得される。すなわち、既に店舗に案内された利用者の順番待ちを示す順番待ち情報（以下、案内済みの順番待ち情報と表記）はスタッフ画面に表示する必要がないため、ステップＳ３２においては取得されない。図６に示す順番待ち情報のデータ構造においては省略されているが、未案内の順番待ち情報であるか、案内済みの順番待ち情報であるかを示す情報（つまり、順番待ちのステータス）は、各順番待ち情報に含まれているものとする。
【０１１５】
次に、管理部１０３は、ステップＳ３２において取得された順番待ち情報を表示するためのスタッフ画面を生成する処理（以下、スタッフ画面生成処理と表記）を実行する（ステップＳ３３）。
【０１１６】
なお、スタッフ画面において、上記したように第２順番待ち情報（入店予定時刻が指定されている順番待ち）は、順番待ちが受け付けられた順に登録されている順番待ち情報（第１順番待ち情報）の間に挿入されて表示される。スタッフ画面生成処理及び当該スタッフ画面生成処理によって生成されるスタッフ画面の詳細については後述する。
【０１１７】
表示処理部１０４は、ステップＳ３３の処理が実行されることによって生成されたスタッフ画面（の画面データ）を第１店舗端末３０に送信する（ステップＳ３４）。
【０１１８】
第１店舗端末３０は、ステップＳ３４において送信されたスタッフ画面を受信する。これにより、第１店舗端末３０においては、スタッフ画面が表示される（ステップＳ３５）。なお、このスタッフ画面は、例えば第１店舗端末３０上で動作するブラウザを介して表示される。
【０１１９】
次に、図８のフローチャートを参照して、上記したスタッフ画面生成処理（図７に示すステップＳ３３の処理）の処理手順について説明する。
【０１２０】
まず、管理部１０３は、現在時刻を取得する（ステップＳ４１）。この現在時刻は、例えば情報管理装置１０に内蔵されているクロック等から取得することが可能である。
【０１２１】
次に、図７に示すステップＳ３２において取得された順番待ち情報のうちの第１順番待ち情報の各々についてステップＳ４２〜Ｓ４４の処理が実行される。以下、この処理の対象となる順番待ち情報を対象順番待ち情報と称する。また、対象順番待ち情報によって示される順番待ちをしている利用者を対象利用者と称する。
【０１２２】
この場合、管理部１０３は、図７に示すステップＳ３２において取得された順番待ち情報のうちの対象順番待ち情報よりも登録時刻が早い順番待ち情報（第１順番待ち情報）の数、つまり、対象利用者の前に順番待ちをしている利用者（対象利用者よりも先に店舗に入店することになる他の利用者）の組の数に、対象利用者（の組）を加えた待ち組数をカウントする（ステップＳ４２）。なお、ここで待ち組数としてカウントされる利用者（の組）は、まだ店舗に案内されていない利用者であるものとする。
【０１２３】
ここで、本実施形態においては、順番待ちをしている１組の利用者が入店することができるまでの時間（以下、単位待ち時間と表記）が予め設定されている。この場合、管理部１０３は、この予め設定されている単位待ち時間にステップＳ４２においてカウントされた待ち組数を乗算することによって、対象利用者が店舗に入店する（つまり、店舗を利用する）ことができるまでの時間（以下、待ち時間と表記）を算出する（ステップＳ４３）。
【０１２４】
なお、単位待ち時間は、情報管理装置１０（情報管理システム）側で店舗毎に設定されていればよい。単位待ち時間は、例えば店舗の業種及び業態に応じた利用客数及び回転率等に従って設定される。しかしながら、店舗の状況等によっては単位時間を店舗側で修正したい場合がある。この場合、単位待ち時間は、店舗のスタッフによる第１店舗端末３０に対する操作に応じて一時的に補正することができるようにしてもよい。
【０１２５】
ここでは単位待ち時間が情報管理装置１０側で設定されるものとして説明したが、単位待ち時間は、情報管理装置１０側では設定されず、各店舗に設けられている第１店舗端末３０において設定される構成であってもよい。
【０１２６】
次に、管理部１０３は、ステップＳ４１において取得された現在時刻にステップＳ４３において算出された待ち時間を加算することによって対象順番待ち情報によって示される順番待ちにおける入店予定時刻を算出する（ステップＳ４４）。
【０１２７】
ここで、上記したステップＳ４２〜Ｓ４４の処理が図７に示すステップＳ３２において取得された順番待ち情報のうちの全ての第１順番待ち情報について実行されたか否かが判定される（ステップＳ４５）。
【０１２８】
全ての第１順番待ち情報について処理が実行されていないと判定された場合（ステップＳ４５のＮＯ）、ステップＳ４２に戻って処理が繰り返される。この場合、処理が実行されていない第１順番待ち情報を対象順番待ち情報としてステップＳ４２〜Ｓ４４の処理が実行される。
【０１２９】
一方、全ての第１順番待ち情報について処理が実行されたと判定された場合（ステップＳ４５のＹＥＳ）、管理部１０３は、全ての第１順番待ち情報の各々についてステップＳ４４において算出された入店予定時刻と第２順番待ち情報に含まれる入店予定時刻とに基づいて、図７に示すステップＳ３２において取得された順番待ち情報を並び替える（ステップＳ４６）。この場合、管理部１０３は、ステップＳ３２において取得された順番待ち情報を、入店予定時刻が早い順に並べ替える。
【０１３０】
ここで、ステップＳ４６において順番待ち情報が並び替えられた場合、上記した第２順番待ち情報が第１順番待ち情報の前または後に挿入されることによって当該第１順番待ち情報の順番が変更される場合がある。上記した第１順番待ち情報についての待ち時間は単に第１順番待ち情報の登録時刻順に基づいて算出されたものであり、ステップＳ４６の処理によって第１順番待ち情報の順番が変更されている場合には、当該待ち時間も併せて変更（更新）する必要がある。
【０１３１】
そこで、ステップＳ４６の処理によって第１順番待ち情報の順番が変更されているか否かが判定される（ステップＳ４７）。
【０１３２】
順番が変更されていると判定された場合（ステップＳ４７のＹＥＳ）、管理部１０３は、順番が変更された順番待ち情報の待ち時間（及び入店予定時刻）を、ステップＳ４６において並び替えられた順番待ち情報の順番に基づいて更新する（ステップＳ４８）。なお、この場合における待ち時間の更新処理（算出処理）は、ステップＳ４３と同様であるため、その詳しい説明を省略する。
【０１３３】
ステップＳ４８の処理が実行されると、管理部１０３は、ステップＳ４６において並び替えられた順番待ち情報及びステップＳ４８において更新された待ち時間を表示するためのスタッフ画面（の画面データ）を生成する（ステップＳ４９）。
【０１３４】
なお、上記したステップＳ４７において順番が変更されていない（つまり、同一である）と判定された場合（ステップＳ４７のＮＯ）、ステップＳ４８の処理は実行されず、ステップＳ４９の処理が実行される。
【０１３５】
本実施形態においては、後述するようにスタッフ画面に待ち時間が表示されるものとして説明するが、当該スタッフ画面に待ち時間が表示されないのであれば、ステップＳ４７及びＳ４８の処理は省略されても構わない。
【０１３６】
ここで、図９は、第１店舗端末３０に表示されるスタッフ画面の一例を示す。なお、図９においては、図６に示す順番待ち情報１０５ａ〜１０５ｆが表示されたスタッフ画面２００を示している。
【０１３７】
図９に示すスタッフ画面２００において、順番待ち情報１０５ａ〜１０５ｆは、入店予定時刻に基づいて並び替えて表示されている。なお、順番待ち情報１０５ｂによって示される順番待ちにおける入店予定時刻は、上記したように順番待ち情報１０５ｂの登録の際に利用者によって指定（入力）された時刻である。一方、順番待ち情報１０５ｂ以外の順番待ち情報１０５ａ及び１０５ｃ〜１０５ｆによって示される順番待ちにおける入店予定時刻は、上記したスタッフ画面生成処理において算出された時刻である。
【０１３８】
具体的には、図９に示す例において、順番待ち情報は、順番待ち情報１０５ａ、１０５ｃ、１０５ｄ、１０５ｅ、１０５ｂ及び１０５ｆの順に表示されている。
【０１３９】
店舗のスタッフは、このようなスタッフ画面２００において表示されている順に上から利用者（受付番号または氏名）を呼び出して、店舗に入店させることができる。
【０１４０】
なお、上記したスタッフ画面生成処理において説明したように、順番待ち情報１０５ｂ（第２順番待ち情報）については待ち時間は算出されない。このため、スタッフ画面２００における順番待ち情報１０５ｂの待ち時間の欄には入店予定時刻が表示されている。
【０１４１】
また、上記したように順番待ち情報１０５ｂ（によって示される順番待ちをしている利用者）の場合は氏名で呼び出すため、スタッフ画面２００には、当該順番待ち情報１０５ｂに含まれる氏名（会員名）が表示されている。なお、図９に示す例では、他の順番待ち情報１０５ａ及び１０５ｃ〜１０５ｆ（第１順番待ち情報）についても同様に氏名が表示されている。このように第１順番待ち情報に対応づけて表示された氏名は、例えば当該第１順番待ち情報に含まれる受付番号で呼び出した利用者が当該第１順番待ち情報によって示される順番待ちをしている利用者であるか否かを確認するために用いられることができる。
【０１４２】
また、スタッフ画面２００において、順番待ち情報１０５ｂ（第２順番待ち情報）は、他の順番待ち情報（第１順番待ち情報）と区別可能な態様で表示されるものとする。これによれば、店舗のスタッフは、スタッフ画面２００において第２順番待ち情報（入店予定時刻が指定されている順番待ち）の存在を容易に把握することができる。
【０１４３】
また、図９に示す例では、各順番待ち情報に対応する待ち時間は７分間隔となっている。つまり、図９では、店舗における単位待ち時間が７分に設定されている例を示している。
【０１４４】
なお、図９においては待ち時間を表示する例を示しているが、当該待ち時間は目安となる時間であり、店舗内の利用者の利用状況等によっても大きく変動する可能性がある。また、店舗のスタッフが利用者を呼び出すためには、スタッフ画面２００には当該利用者を呼び出す順に順番待ち情報が表示されていればよい。このため、上記したように待ち時間についてはスタッフ画面２００に表示されない構成としても構わない。
【０１４５】
また、スタッフ画面２００には、各順番待ち情報１０５ａ〜１０５ｆに対応づけて「案内」ボタン２０１及び「不在」ボタン２０２が設けられている（表示されている）。この「案内」ボタン２０１及び「不在」ボタン２０２については後述する。
【０１４６】
また、スタッフ画面２００においては、各順番待ち情報１０５ａ〜１０５ｆに対応づけて当該順番待ち情報に含まれるアライバル情報（「済」または「未」）が表示されている。
【０１４７】
なお、図９に示すスタッフ画面２００には、順番待ち情報１０５ａ〜１０５ｆの各々に含まれる受付番号、人数（ご来店人数）、氏名（会員名）及びアライバル情報が表示されているが、登録時刻等の他の情報が更に表示されていてもよい。
【０１４８】
ここで、上記したように格納部１０５に格納されている順番待ち情報の各々には当該順番待ち情報によって示される順番待ちのステータスが含まれているが、当該順番待ちのステータスには、例えば「未案内」、「案内済み」、「不在」及び「キャンセル」等が含まれる。「未案内」は、順番待ち情報によって示される順番待ちをしている利用者がまだ店舗に案内されていないことを示す。「案内済み」は、順番待ち情報によって示される順番待ちをしている利用者が既に店舗に案内された（つまり、入店した）ことを示す。「不在」は、順番待ち情報によって示される順番待ちをしている利用者が呼び出し時に不在であったことを示す。「キャンセル」は、順番待ち情報によって示される順番待ちがキャンセルされたことを示す。
【０１４９】
以下、本実施形態における順番待ちのステータスの遷移について簡単に説明する。まず、上記した図４及び図５に示す処理が実行されることによって格納部１０５に登録された順番待ち情報によって示される順番待ちのステータスは、「未案内」に設定されている。なお、スタッフ画面には、ステータスが「未案内」である順番待ちを示す順番待ち情報の一覧が表示される。すなわち、図９に示すスタッフ画面２００に表示されている順番待ち情報１０５ａ〜１０５ｆによって示される順番待ちのステータスは全て「未案内」である。
【０１５０】
ここで、例えば図９に示すようにスタッフ画面２００に順番待ち情報１０５ａ〜１０５ｆが表示されている場合において、店舗のスタッフがスタッフ画面２００の最上位に表示されている順番待ち情報１０５ａに含まれる受付番号「１」を呼び出した場合を想定する。
【０１５１】
この場合において、受付番号「１」が発行された利用者（つまり、受付番号「１」が表示された利用者端末２０を使用する利用者）が付近に待機しており、当該利用者を店舗に案内した（入店させた）場合には、店舗のスタッフは、スタッフ画面２００において順番待ち情報１０５ａに対応づけて表示されている「案内」ボタン２０１を押下する。これによれば、順番待ち情報１０５ａによって示される順番待ちのステータスは「未案内」から「案内済み」に変更される。このように順番待ちのステータスが変更された後に、図７に示す処理が実行されることによってスタッフ画面が更新された場合には、ステータスが「案内済み」である順番待ち情報１０５ａはスタッフ画面に表示されない。
【０１５２】
一方、受付番号「１」が発行された利用者が付近に待機しておらず、当該利用者を店舗に案内することができない（つまり、当該利用者が呼出に応じない）場合には、店舗のスタッフは、スタッフ画面２００において順番待ち情報１０５ａに対応づけて表示されている「不在」ボタン２０２を押下する。この場合には、順番待ち情報１０５ａによって示される順番待ちのステータスは「未案内」から「不在」に変更される。ステータスが「不在」である順番待ち情報については、ステータスが「未案内」である順番待ち情報とともにスタッフ画面２００に表示されてもよいし、当該スタッフ画面２００とは別の画面（例えば、不在一覧画面等）に表示されるようにしてもよい。なお、順番待ちのステータスの「未案内」から「不在」への変更は、例えば当該順番待ちにおける入店予定時刻から一定時間が経過された際に自動的に行われてもよい。
【０１５３】
なお、ステータスが「不在」に変更された場合であっても、当該ステータスが「不在」に変更された順番待ち情報によって示される順番待ちをしている利用者が予め定められた期間内に再度来店すれば、当該利用者を入店させることができるものとする。このように利用者が店舗に入店した場合には、例えば第１店舗端末３０に対する店舗のスタッフの操作に応じて当該利用者の順番待ちのステータスは「不在」から「案内済み」に変更される。
【０１５４】
一方、順番待ちのステータスが「不在」に変更された後、予め定められた期間が経過した場合には、当該順番待ちはキャンセルしたものとして扱われる。この場合、順番待ちのステータスは「不在」から「キャンセル」に自動的に変更される。ステータスが「キャンセル」に変更された順番待ち情報はスタッフ画面には表示されない。
【０１５５】
ここでは、順番待ち情報１０５ａによって示される順番待ちのステータスの遷移について主に説明したが、他の順番待ち情報の場合についても同様である。
【０１５６】
ここで、図９に示すスタッフ画面２００には各順番待ち情報１０５ａ〜１０５ｆに含まれるアライバル情報が表示されているところ、店舗に到着していない利用者を呼び出して、当該利用者が店舗に到着しているか否か等を確認する作業を店舗のスタッフが行うことは、当該店舗における効率的なオペレーションを妨げることの原因となる。
【０１５７】
そこで、本実施形態において、上記したスタッフ画面２００には、アライバル情報に基づいて順番待ち情報を並び替えるためのボタン（以下、並び替えボタンと表記）２０３が設けられているものとする。なお、図９に示す例では、スタッフ画面２００において「アライバル情報」と表記されている部分が並び替えボタン２０３としての機能を有している。このような並び替えボタン２０３がスタッフ画面２００上で店舗のスタッフによって押下（指定）された場合、アライバル情報に基づいて順番待ち情報１０５ａ〜１０５ｆが並び替えられた結果を表示することができる。
【０１５８】
この場合、利用者が店舗に到着していることを示すアライバル情報を含む順番待ち情報は、利用者が店舗に到着していないことを示すアライバル情報を含む順番待ち情報よりも優先して表示される。
【０１５９】
図１０は、図９に示すスタッフ画面２００において並び替えボタン２０３が押下された場合に第１店舗端末３０に表示されるスタッフ画面の一例を示す。
【０１６０】
図１０に示すスタッフ画面３００においては、スタッフ画面２００に表示されている順番待ち情報１０５ａ〜１０５ｆのうち、利用者が店舗に到着していることを示すアライバル情報（つまり、アライバル情報「済」）を含む順番待ち情報１０５ａ、１０５ｄ、１０５ｅ及び１０５ｆが、利用者が店舗に到着していないことを示すアライバル情報（つまり、アライバル情報「未」）を含む順番待ち情報１０５ｃ及び１０５ｂよりも優先して（つまり、上位に）表示されている。
【０１６１】
なお、アライバル情報が「済」である順番待ち情報１０５ａ、１０５ｄ、１０５ｅ及び１０５ｆは、入店予定時刻順に並べて表示されている。同様に、アライバル情報「未」である順番待ち情報１０５ｃ及び１０５ｂは、入店予定時刻順に並べて表示されている。
【０１６２】
図１０においては、アライバル情報が「済」である順番待ち情報１０５ａ、１０５ｄ、１０５ｅ及び１０５ｆとアライバル情報が「未」である順番待ち情報１０５ｃ及び１０５ｂとの両方がスタッフ画面３００に表示されている例を示しているが、当該スタッフ画面３００には、アライバル情報「済」である順番待ち情報１０５ａ、１０５ｄ、１０５ｅ及び１０５ｆのみが表示されるようにしてもよい。すなわち、本実施形態においては、アライバル情報が「済」である順番待ち情報に含まれる受付番号（つまり、店舗に到着している利用者）のみが呼び出されるようにしてもよい。
【０１６３】
図１１は、図９に示すスタッフ画面２００において並び替えボタン２０３が押下された場合に第１店舗端末３０に表示されるスタッフ画面の別の例を示す。
【０１６４】
図１１に示すスタッフ画面４００においては、次に呼び出すべき順番待ち情報を他の順番待ち情報よりも優先して表示するための欄（呼出おすすめ欄）４０１が設けられている。
【０１６５】
この呼出おすすめ欄４０１には、上記したようにアライバル情報に基づいて順番待ち情報を並び替えた結果（次に呼び出すべき順番待ち情報）として、利用者が店舗に到着していることを示すアライバル情報（つまり、アライバル情報「済」）を含む順番待ち情報１０５ａ、１０５ｄ、１０５ｅ及び１０５ｆのうち入店予定時刻が最も早い順番待ち情報１０５ａに含まれる受付番号が表示されている。
【０１６６】
なお、次に呼び出すべき順番待ち情報が第１順番待ち情報である場合には呼出おすすめ欄４０１には受付番号が表示されるが、次に呼び出すべき順番待ち情報が第２順番待ち情報である場合には呼出おすすめ欄４０１には氏名が表示されればよい。
【０１６７】
なお、スタッフ画面４００の呼出おすすめ欄４０１以外の表示内容は、上記したスタッフ画面２００と同一でよい。
【０１６８】
図１１においては呼出おすすめ欄４０１に１つの順番待ち情報（に含まれる受付番号または氏名）のみが表示されるものとして説明したが、呼出おすすめ欄４０１には、上記したアライバル情報に基づいて並び替えられた結果が上位の複数の順番待ち情報が表示されても構わない。
【０１６９】
上記したようなスタッフ画面３００及び４００によれば、利用者が店舗に到着していることを示すアライバル情報を含む順番待ち情報によって示される順番待ちをしている利用者を優先して呼び出すことができる。
【０１７０】
なお、図１０及び図１１に示すスタッフ画面３００及び４００において例えば並び替えボタン２０３が再度押下された場合には、図９に示すスタッフ画面２００が表示されるものとする。ここでは、並び替えボタン２０３を用いるものとして説明したが、スタッフ画面２００に戻る（遷移する）他のボタンが別途設けられていても構わない。
【０１７１】
ところで、上記したスタッフ画面３００及び４００においては、利用者が店舗に到着していることを示すアライバル情報を含む順番待ち情報によって示される順番待ちをしている利用者が優先して呼び出されるが、順番待ち情報１０５ｃの入店予定時刻が順番待ち情報１０５ａの入店予定時刻より後であり、順番待ち情報１０５ｄの入店予定時刻よりも前であるものとすると、当該順番待ち情報１０５ｃによって示される順番待ちをしている利用者は、順番待ち情報１０５ｄによって示される順番待ちをしている利用者よりも前に呼び出されるべきである。
【０１７２】
また、上記したように順番待ち情報１０５ｂの入店予定時刻が順番待ち情報１０５ｅの入店予定時刻より後であり、順番待ち情報１０５ｆの入店予定時刻よりも前であるものとすると、順番待ち情報１０５ｂによって示される順番待ちをしている利用者は、順番待ち情報１０５ｆによって示される順番待ちをしている利用者よりも前に呼び出されるべきである。
【０１７３】
この場合において、順番待ち情報１０５ｃ及び１０５ｂによって示される順番待ちをしている利用者が当該順番待ち情報１０５ｃ及び１０５ｂの入店予定時刻に従った適切な順番で呼び出されるためには、当該利用者が店舗に到着したことを登録する（つまり、順番待ち情報１０５ｃに含まれるアライバル情報「未」をアライバル情報「済」に変更する）必要がある。
【０１７４】
以下、図１２のシーケンスチャートを参照して、順番待ちをしている利用者が店舗に到着したことを登録する際の情報管理システムの処理（以下、到着登録処理と表記）の処理手順の一例について説明する。ここでは、店舗に到着したことを登録する利用者を対象利用者と称する。また、対象利用者による店舗への順番待ちを示す順番待ち情報には、店舗に到着していないことを示すアライバル情報（つまり、アライバル情報「未」）が含まれているものとする。
【０１７５】
上記したように対象利用者による店舗への順番待ち（を示す順番待ち情報）が登録された場合、当該対象利用者が使用する利用者端末２０には、２次元コードを表示することができる。また、店舗に設置されている第２店舗端末４０は、２次元コードの読み取り装置としての機能を有する。
【０１７６】
このため、対象利用者が店舗に到着した場合、当該対象利用者は、利用者端末２０に表示された２次元コードを第２店舗端末４０にかざす。これにより、第２店舗端末４０は、利用者端末２０に表示された２次元コードを読み取ることができる（ステップＳ５１）。なお、利用者端末２０に表示されている２次元コードは対象利用者を識別可能な情報（例えば、対象利用者に対して発行された受付番号または対象利用者の氏名等）を保持している。
【０１７７】
第２店舗端末４０は、ステップＳ１の処理が実行されることにより、利用者端末２０に表示された２次元コードに保持されている情報（以下、利用者情報と表記）を取得する（ステップＳ５２）。
【０１７８】
ステップＳ５２の処理が実行されると、当該ステップＳ５２において取得された利用者情報は、ネットワーク５０を介して第２店舗端末４０から情報管理装置１０に送信される（ステップＳ５３）。
【０１７９】
情報管理装置１０に含まれる管理部１０３は、第２店舗端末４０から送信された利用者情報を受信する。管理部１０３は、受信された利用者情報に基づいて、格納部１０５に格納されている順番待ち情報の中から対象利用者による順番待ちを示す順番待ち情報を特定する（ステップＳ５４）。ステップＳ５４においては、例えば利用者情報が上記したように対象利用者に対して発行された受付番号である場合には、当該受付番号を含む順番待ち情報が特定される。また、例えば利用者情報が対象利用者の氏名である場合には、当該氏名を含む順番待ち情報が特定される。
【０１８０】
ステップＳ５４の処理が実行されると、管理部１０３は、当該ステップＳ５４において特定された順番待ち情報に含まれるアライバル情報を「未」から「済」に変更する（ステップＳ５５）。
【０１８１】
なお、ステップＳ５５の処理が実行された場合、対象利用者が店舗に到着したことが登録された旨が利用者端末２０を介して対象利用者に通知されるようにしてもよい。
【０１８２】
上記した図１２に示す処理によれば、対象利用者は、店舗に到着した際に利用者端末２０に表示された２次元コードを第２店舗端末４０に読み取らせることによって、当該対象利用者が店舗に到着したことを登録することができる。
【０１８３】
なお、対象利用者が店舗に到着したことの登録（つまり、ステップＳ５５の処理）は、予め定められた条件が満たされた場合に行われるようにしてもよい。具体的には、上記した図８に示すステップＳ４６において順番待ち情報が入店予定時刻順に並び替えられた結果において、対象利用者による順番待ちを示す順番待ち情報（つまり、ステップＳ５４において特定された順番待ち情報）よりも上位に表示される順番待ち情報の数が予め定められた数（組数）以下である場合にのみ、ステップＳ５５の処理が実行されるようにしてもよい。また、対象利用者による順番待ちにおける入店予定時刻が例えば現在時刻から予め定められた期間内に該当する場合にのみ、ステップＳ５５の処理が実行されるようにしてもよい。
【０１８４】
また、対象利用者が店舗に到着したことの登録は、例えば対象利用者（が使用する利用者端末２０）の位置を示す位置情報に基づいて行われてもよい。具体的には、利用者端末２０が例えばＧＰＳ（Global Positioning System）機能を有しているものとすると、当該ＧＰＳ機能により取得される位置情報（対象利用者の位置）が店舗から予め定められた範囲内にある場合に対象利用者が店舗に到着したものと推定し、ステップＳ５５の処理が実行されるようにしてもよい。
【０１８５】
更に、対象利用者が店舗に到着したことは、例えば事前に会員情報として登録されているのであれば、Ｆｅｌｉｃａ（登録商標）、ビーコン、国際移動体装置識別番号（ＩＭＥＩ：International Mobile Equipment Identifier）等の端末情報を利用して登録してもよい。
【０１８６】
以下、図１３及び図１４を参照して、到着登録処理が実行された後に並び替えボタン２０３が押下された場合に第１店舗端末３０に表示されるスタッフ画面の具体例について説明する。ここでは、図１０に示す形式で表示されるスタッフ画面について説明する。
【０１８７】
なお、順番待ち情報１０５ｃの入店予定時刻は、順番待ち情報１０５ａの入店予定時刻と順番待ち情報１０５ｄの入店予定時刻との間の時間帯に該当するものとする。また、順番待ち情報１０５ｂの入店予定時刻は、順番待ち情報１０５ｅの入店予定時刻と順番待ち情報１０５ｆの入店予定時刻との間の時間帯に該当するものとする。
【０１８８】
ここで、図１３は、順番待ち情報１０５ｃによって示される順番待ちをしている利用者の店舗への到着が登録された後に並び替えボタン２０３が押下された場合に第１店舗端末３０に表示されるスタッフ画面の一例を示す。
【０１８９】
順番待ち情報１０５ｃは、図１０に示すスタッフ画面３００においてはアライバル情報が「未」であったために順番待ち情報１０５ｆの下に表示されていたが、図１３に示すスタッフ画面５００においては当該順番待ち情報１０５ｃの入店予定時刻に従った適切な位置（つまり、順番待ち情報１０５ａと順番待ち情報１０５ｄとの間）に表示されている。
【０１９０】
また、図１４は、順番待ち情報１０５ｂによって示される順番待ちをしている利用者の店舗への到着が更に登録された後に並び替えボタン２０３が押下された場合に第１店舗端末３０に表示されるスタッフ画面の一例を示す。
【０１９１】
順番待ち情報１０５ｂは、スタッフ画面５００においてはアライバル情報が「未」であったために順番待ち情報１０５ｆの下に表示されていたが、図１４に示すスタッフ画面６００においては当該順番待ち情報１０５ｂの入店予定時刻に従った適切な位置（つまり、順番待ち情報１０５ｅと順番待ち情報１０５ｆとの間）に表示されている。
【０１９２】
上記したように順番待ち情報が１０５ｃ及び１０５ｂによって示される順番待ちをしている利用者の店舗への到着が登録された場合には、図１４に示すスタッフ画面６００が表示されることによって、当該利用者はそれぞれ適切な順番で呼び出されることが可能となる。
【０１９３】
次に、本実施形態において、オーダー情報を店舗のスタッフに提示する場合について説明する。上記したように格納部１０５に格納されている順番待ち情報にはオーダー情報が含まれる（つまり、格納部１０５にはオーダー情報が登録されている）が、当該オーダー情報は、店舗のスタッフ（例えば、キッチンスタッフ等）に対して提示される。これによれば、店舗のスタッフは、提示されたオーダー情報によって示される利用者のオーダーを確認し、例えば当該利用者が店舗に入店する前に、当該利用者によってオーダーされた商品の提供に関する準備等を行うことができる。
【０１９４】
しかしながら、格納部１０５に格納されている順番待ち情報に含まれるオーダー情報を、情報管理装置１０において当該オーダー情報が受信された（つまり、順番待ちが登録された）時点で提示してしまうと、店舗のスタッフは、利用者によってオーダーされた商品の提供に関する準備（例えば、料理またはドリンクの用意等）を、当該利用者が店舗に入店するよりも必要以上に早く開始してしまう可能性がある。
【０１９５】
一方、格納部１０５に格納されている順番待ち情報に含まれるオーダー情報を当該順番待ち情報によって示される順番待ちをしている利用者が呼び出されたタイミングで提示した場合には、商品の提供が遅れる場合がある。
【０１９６】
また、例えば上記した入店予定時刻等に基づいてオーダー情報を提示することも考えられるが、当該入店予定時刻は店舗内の利用者の利用状況等によって大きく変動する可能性があることから、精度が低い。
【０１９７】
そこで、本実施形態においては、例えば店舗における空席の発生に関する店内情報を利用して、店舗のスタッフにオーダー情報を提示するタイミングを判別するものとする。
【０１９８】
以下、図１５のフローチャートを参照して、店舗のスタッフにオーダー情報を提示する際の情報管理装置１０の処理手順の一例について説明する。なお、図１５に示す処理は、上記した図４、図５、図７及び図１２等の処理とは独立して実行される。
【０１９９】
ここで、本実施形態において、管理部１０３は、上記した店内情報を受信可能に構成されているものとする。本実施形態において、店内情報とは店舗において近いうちに空席が発生することを示す情報（空席の発生を強く推測させる情報）であり、当該店内情報としては、例えば以下の情報を利用することができる。
【０２００】
例えば店舗においては、ＰＯＳ（Point Of Sale）システムを導入している場合がある。ＰＯＳシステムは、店舗における売り上げ等の情報を管理するためのシステムである。
【０２０１】
このようなＰＯＳシステムによれば、店舗に設置されているＰＯＳレジにおいて、当該店舗を利用した利用者に対する会計が完了したことを示す情報を取得することができる。
【０２０２】
本実施形態においては、このようなＰＯＳレジにおいて取得される情報（つまり、ＰＯＳレジから送信されるＰＯＳ会計情報）を、店内情報として利用することができる。
【０２０３】
また、店舗においては、セルフオーダーシステムを導入している場合がある。セルフオーダーシステムとは例えば店舗のスタッフを介することなく所定の端末を操作することによってオーダーすることを可能とするシステムであるが、当該セルフオーダーシステムにおいて、利用者は当該端末を介して会計を指示することができる。また、セルフオーダーシステムにおいては、各利用者の入店時間及び当該利用者によって選択されたコース等を管理することによって、当該利用者のラストオーダーがされたことを把握するようなことも可能である。
【０２０４】
すなわち、このようなセルフオーダーシステムによれば、店舗を利用している利用者によって会計が指示されたことを示す情報（会計情報）または当該店舗を利用している利用者のラストオーダーがされたことを示す情報（ラストオーダー情報）等を取得することができる。
【０２０５】
本実施形態においては、このようなセルフオーダーシステムにおいて取得される情報（つまり、セルフオーダーシステムから送信される情報）を、店内情報として利用することができる。
【０２０６】
更に、例えば店舗のスタッフが所定の端末（以下、ハンディ端末と表記）を所持している場合、店舗のスタッフは、当該ハンディ端末を用いてテーブルまたは席の片づけが終了したことを入力する場合がある。
【０２０７】
本実施形態においては、このような店舗のスタッフによって所持されるハンディ端末において入力される情報（つまり、ハンディ端末から送信される片づけ情報）を、店内情報として利用してもよい。
【０２０８】
上記したような店内情報を利用した場合には、例えば近いうちに空席が発生することを推測することができる。なお、本実施形態における店内情報は、上記した情報のうちの少なくとも１つであってもよいし、当該情報以外であってもよい。
【０２０９】
まず、管理部１０３は、上記した店内情報を受信したか否かを判定する（ステップＳ６１）。
【０２１０】
店内情報を受信したと判定された場合（ステップＳ６１のＹＥＳ）、管理部１０３は、格納部１０５から順番待ち情報を取得する（ステップＳ６２）。ステップＳ６２においては、格納部１０５に格納されている順番待ち情報のうち、ステータスが「未案内」である順番待ち情報であって入店予定時刻が最も早い順番待ち情報が取得される。なお、ステータスが「未案内」である場合であっても、オーダー情報が含まれない順番待ち情報は、以降の処理の対象としないものとする。すなわち、ステータスが「未案内」である順番待ち情報であって入店予定時刻が最も早い順番待ち情報にオーダー情報が含まれていない場合は、ステップＳ６２においては、ステータスが「未案内」である順番待ち情報であって入店予定時刻が次に早い順番待ち情報が取得される。ここで取得された順番待ち情報にもオーダー情報が含まれていない場合には、同様にステップＳ６２の処理が繰り返される。換言すれば、ステップＳ６２の処理は、オーダー情報が含まれる順番待ち情報が取得されるまで繰り返し実行される。
【０２１１】
ステップＳ６２の処理が実行されると、管理部１０３は、当該ステップＳ６２において取得された順番待ち情報によって示される順番待ちをしている利用者が店舗に到着しているか否かを判定する（ステップＳ６３）。ステップＳ６３においては、ステップＳ６２において取得された順番待ち情報に含まれるアライバル情報が利用者が店舗に到着していることを示す（つまり、アライバル情報が「済」である）場合、利用者が店舗に到着していると判定される。一方、ステップＳ６２において取得された順番待ち情報に含まれるアライバル情報が利用者が店舗に到着していないことを示す（つまり、アライバル情報が「未」である）場合、利用者が店舗に到着していないと判定される。
【０２１２】
なお、ステップＳ６３の処理は、上記した位置情報（利用者の位置）を更に利用してもよい。具体的には、利用者の位置が店舗に対して一定範囲以内にある場合には、ステップＳ６３において利用者が店舗に到着していると判定されるようにしてもよい。一方、利用者の位置が店舗に対して一定範囲外にある場合には、ステップＳ６３において利用者が店舗に到着していないと判定されるようにしてもよい。
【０２１３】
利用者が店舗に到着していると判定された場合（ステップＳ６３のＹＥＳ）、管理部１０３は、ステップＳ６２において取得された順番待ち情報に含まれるオーダー情報を含むオーダー提示画面を生成する（ステップＳ６４）。
【０２１４】
表示処理部１０４は、ステップＳ６４において生成されたオーダー提示画面を用いて、オーダー情報を店舗のスタッフに提示する（ステップＳ６５）。
【０２１５】
ここで、本実施形態において、第１店舗端末３０は例えば店舗のレジ付近に設置されているため、オーダー提示画面が第１店舗端末３０に表示されたとしても、オーダーされた商品の提供に関する準備をする店舗のスタッフが当該オーダー提示画面を確認することが困難な場合がある。このため、オーダー提示画面は、第１店舗端末３０ではなく、例えば商品の提供に関する準備を行う店舗内のエリア（例えば、料理またはドリンクを準備するキッチン等）に設置された他の端末に表示されるものとする。これにより、商品の提供に関する準備をする店舗のスタッフにオーダー情報を提示することができる。
【０２１６】
なお、レジ付近に設置されている第１店舗端末３０（スタッフ画面）においては、既に店舗に案内された利用者の順番待ちを示す順番待ち情報（案内済みの順番待ち情報）を表示する必要がないため、上記した図７に示すステップＳ３２においては当該案内済みの順番待ち情報は取得されないが、商品の提供に関するエリアに設置された端末においては、案内済みの順番待ち情報もスタッフに提示するようにしてもよい。このように第１店舗端末３０のスタッフ画面と、商品の提供に関するエリアに設置された端末のオーダー提示画面とでは、提示態様が異なるようにしてもよい。
【０２１７】
なお、ステップＳ６１において店内情報を受信していないと判定された場合（ステップＳ６１のＮＯ）、オーダー情報を店舗のスタッフに提示するタイミングでないと判別し、ステップＳ６２〜Ｓ６５の処理は実行されない。
【０２１８】
また、ステップＳ６３において利用者が店舗に到着していないと判定された場合（ステップＳ６３のＮＯ）、ステップＳ６２に戻って処理が繰り返される。この場合のステップＳ６２においては、利用者が店舗に到着していないと判定された順番待ち情報以外の順番待ち情報のうち、ステータスが「未案内」である順番待ち情報であって入店予定時刻が最も早い順番待ち情報が取得される。
【０２１９】
すなわち、図１５に示す処理によれば、店内情報が受信された時点で既に店舗に到着している利用者のうち、次に呼び出される利用者（つまり、入店予定時刻が最も早い利用者）のオーダーを示すオーダー情報が店舗のスタッフに提示される。
【０２２０】
ここで、図１６は、オーダー提示画面の一例を示す。なお、図１６においては、図６に示す順番待ち情報１０５ａに含まれるオーダー情報が表示されたオーダー提示画面７００を示している。
【０２２１】
図１６に示す例において、オーダー提示画面７００には、順番待ち情報１０５ａに含まれるオーダー情報「オーダー１」が当該順番待ち情報１０５ａに含まれる受付番号「１」に対応づけて表示されている。
【０２２２】
このようなオーダー提示画面７００を確認することによって、店舗のスタッフは、受付番号「１」が発行された利用者のオーダー１について準備を開始するタイミングであることを把握することができる。
【０２２３】
ここでは受付番号が表示されているが、オーダー提示画面７００には、当該受付番号とともに順番待ち情報１０５ａに含まれる人数等の情報が表示されてもよい。また、オーダー提示画面７００において、受付番号の表示は省略されてもよい。
【０２２４】
図１６に示す例では１つのオーダー情報のみが表示されているが、上記した図１５に示す処理において複数の店内情報が受信された（つまり、複数の空席が発生する）場合には、当該空席が発生する数に応じたオーダー情報が入店予定時刻が早い順に表示されればよい。
【０２２５】
なお、上記した図１５に示す例においては、利用者が店舗に到着していると判定された場合にオーダー情報を提示するものとして説明したが、例えば上記した図１２に示す処理において２次元コードが第２店舗端末４０に提示された時刻を記憶しておき、当該時刻と店内情報が受信された時刻との差分（どの程度離れているか）に応じて、オーダー情報の提示条件を変更してもよい。具体的には、上記した差分が閾値以内である場合にはオーダー情報を提示し、当該差分が閾値以上である場合には順番待ちのステータスが「案内済み」となったのちにオーダー情報を提示するようにしてもよい。
【０２２６】
更に、オーダー提示画面７００におけるオーダー情報は、適宜、強調表示（例えば、色づけ）されて提示されてもよい。具体的には、利用者が店舗に到着していない場合にはオーダー情報を赤で表示し、利用者が店舗に到着しているが店内情報を受信していない場合にはオーダー情報を黄色で表示し、利用者が店舗に到着しており、かつ、店内情報を受信している場合にはオーダー情報を青色で表示するようにしてもよい。このような場合には、オーダー提示画面７００に複数のオーダー情報が表示されるが、当該オーダー情報のうち、商品の提供の準備を開始すべきオーダーを当該オーダー情報の色で容易に判別することができる。
【０２２７】
上記したように本実施形態においては、利用者端末２０に対する利用者の操作に応じて利用者の店舗に対する順番待ちを受け付ける際に、店舗において提供される商品のオーダーを利用者に入力させるオーダー入力画面が利用者端末２０に表示される。また、本実施形態においては、利用者端末２０に対する利用者の操作に応じてオーダー入力画面に対して入力された商品のオーダーを示すオーダー情報を利用者端末２０から受信する。このように受信されたオーダー情報は、利用者が店舗に到着していると判定された場合に店舗のスタッフに提示される。
【０２２８】
すなわち、本実施形態においては、店舗に到着している利用者（つまり、少なくとも店舗に来店することなく無断でキャンセルする可能性が低い利用者）のオーダーを店舗のスタッフに対して提示する構成により、順番待ちをしている利用者が店舗に来店しないことによって当該利用者のオーダーした商品の提供に関する準備が無駄になる（つまり、業務効率が低下する）ことを抑制することが可能となる。
【０２２９】
なお、本実施形態において、順番待ちを受け付ける際に利用者によって使用される利用者端末２０とオーダー情報を入力する際に当該利用者によって使用される利用者端末２０とは、異なる端末装置であってもよい。具体的には、順番待ちを受け付ける際には利用者は自身の端末装置を使用し、オーダーを入力する際には例えば店舗において予め用意されている端末装置を使用するような構成であってもよい。
【０２３０】
また、本実施形態においては、利用者の店舗に対する順番待ちが受け付けられた場合に当該利用者に割り当てられた２次元コードを当該利用者が使用する利用者端末２０に表示し、当該利用者端末２０に表示された２次元コードが第２店舗端末４０（読み取り装置）によって読み取られた場合に、アライバル情報が「未」から「済」に変更される（つまり、利用者が店舗に到着したことが登録される）。本実施形態においては、このようなアライバル情報によって利用者が店舗に到着しているか否かが判定されるため、利用者が店舗に到着していることを正確に把握することが可能となる。
【０２３１】
ここでは利用者に割り当てられた２次元コードが利用者端末２０に表示されるものと説明したが、利用者の店舗に対する順番待ちが受け付けられた場合に、情報管理装置１０において当該利用者に割り当てられた利用者番号を発行し、当該利用者番号を利用者端末２０に表示する構成としてもよい。このような構成によれば、例えば利用者端末２０に表示された利用者番号が第２店舗端末４０に入力された場合に、アライバル情報を「未」から「済」に変更し、利用者が店舗に到着したことを登録することができる。この場合、第２店舗端末４０は２次元コードを読み取る読み取り装置としての機能を有していなくてもよい。なお、利用者番号は、店舗に到着した利用者を特定（識別）することが可能なものであればよく、例えば受付番号であってもよいし、当該受付番号とは異なる番号であってもよい。また、利用者番号の代わりに、例えば利用者の氏名等を第２店舗端末４０に入力させるようにしてもよい。
【０２３２】
また、本実施形態においては、店舗における空席の発生に関する店内情報が受信された場合にオーダー情報が店舗のスタッフに対して提示される。なお、店内情報としては、店舗に設置されているＰＯＳレジから送信される情報（当該店舗を利用した他の利用者に対する会計が完了したことを示す情報）、店舗に導入されているセルフオーダーシステムから送信される情報（当該店舗を利用している他の利用者によって会計が指示されたことを示す情報または当該店舗を利用している他の利用者のラストオーダーがされたことを示す情報）、または店舗のスタッフが所持するハンディ端末から送信される情報（当該店舗を利用した他の利用者が使用したテーブルまたは席が利用可能な状態になったことを示す情報）等を利用することができる。
【０２３３】
なお、本実施形態において、「店内情報が受信された場合にオーダー情報が提示される」とは、店内情報が受信された時点でオーダー情報を提示する場合及び当該店内情報が受信された後、一定時間が経過した後にオーダー情報を提示する場合を含むものとする。具体的には、例えばラストオーダーがされたことを示す情報を店内情報として利用する場合には、ラストオーダーがされた時点でオーダーされた商品の提供に関する準備を開始すると早すぎる場合があるため、このような店内情報の場合には店内情報を受信した後、一定時間が経過した後にオーダー情報を提示するようにしてもよい。
【０２３４】
本実施形態においては、このような構成により、商品の提供に関する準備を開始する適切なタイミングを店舗のスタッフに対して通知することができる。
【０２３５】
また、本実施形態において、オーダー入力画面に対して入力された商品またはサービスのオーダーの変更は、上記した店内情報が受信された後は制限される（つまり、店内情報を受信した後はオーダーの変更を受け付けない）。本実施形態においては、このような構成により、オーダー情報が店舗のスタッフに対して提示された後に、オーダーの内容が変更されることを防ぐことができる。なお、店内情報を受信することによってオーダーの変更を受け付けない状態となった場合には、オーダーの変更が不可であることを通知するとともに、案内が近づいているため、店舗内で待機することを促すためのメッセージを利用者端末２０に表示するようにしてもよい。
【０２３６】
ここで、本実施形態においてオーダー情報は利用者が店舗内のテーブルまたは席に案内される前に表示されるが、当該利用者がテーブルまたは席に案内された後は、当該利用者が使用するテーブルまたは席を示す番号情報と対応づけてオーダー情報を提示する（つまり、オーダー提示画面に表示する）構成としてもよい。これによれば、店舗のスタッフは、オーダー情報によって示されるオーダー（商品）の提供先をオーダー提示画面において容易に把握することが可能となる。
【０２３７】
なお、店舗によっては、例えば当該店舗において順番待ちをしている利用者に対して空席のテーブルまたは席を自動的に割り当てることによって当該利用者を自動案内するシステム（以下、自動案内システムと表記）が導入されている場合がある。自動案内システムにおいては、例えば店舗の空席状態を管理しておき、空席が発生した際に受付番号（または氏名）を呼び出すとともに、利用者に対して空席となったテーブルまたは席を示す番号情報を提示することによって、当該利用者の店舗への自動案内を実現する。このような自動案内システムによれば、利用者（に対して発行された受付番号）と当該利用者が使用するテーブルまたは席（つまり、当該利用者が案内されたテーブルまたは席）とを対応づけることができる。
【０２３８】
本実施形態に係る情報管理装置１０が上記した自動案内システムと通信可能に接続されている場合には、例えば受付番号が呼び出された際に当該自動案内システムにおいて当該受付番号が発行された利用者に割り当てられたテーブルまたは席を示す番号情報を当該自動案内システムから取得（受信）することができるため、オーダー情報を当該番号情報に対応づけてオーダー提示画面に表示することが可能となる。
【０２３９】
ここでは、自動案内システムとの連携によって利用者が案内されたテーブルまたは席を示す番号情報を自動的に取得する場合について説明したが、当該番号情報は、利用者がテーブルまたは席に案内された際に店舗のスタッフ等によって指定（入力）されても構わない。
【０２４０】
なお、本実施形態においては、例えば料理やドリンクのような商品に関するオーダーを入力させるものとして説明したが、店舗の種類によって当該店舗によって提供されるサービスのオーダーを入力させるようにしてもよい。
【０２４１】
また、本実施形態においては情報管理装置１０が１つの装置であるものとして説明したが、当該情報管理装置１０は、ネットワークを介して通信可能な複数の装置によって実現されても構わない。
【０２４２】
また、図３において説明した情報管理装置１０の機能構成の少なくとも一部は、例えば利用者端末２０、第１店舗端末３０及び第２店舗端末４０に備えられていてもよい。
【０２４３】
なお、上記した実施形態に記載した手法は、コンピュータに実行させることのできるプログラムとして、磁気ディスク（フロッピー（登録商標）ディスク、ハードディスクなど）、光ディスク（ＣＤ−ＲＯＭ、ＤＶＤなど）光磁気ディスク（ＭＯ）、半導体メモリなどの記憶媒体に格納して頒布することもできる。
【０２４４】
また、この記憶媒体としては、プログラムを記憶でき、かつコンピュータが読み取り可能な記憶媒体であれば、その記憶形式は何れの形態であってもよい。
【０２４５】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本実施形態を実現するための各処理の一部を実行してもよい。
【０２４６】
更に、本発明における記憶媒体は、コンピュータと独立した媒体に限らず、ＬＡＮやインターネット等により伝送されたプログラムをダウンロードして記憶または一時記憶した記憶媒体も含まれる。
【０２４７】
また、記憶媒体は１つに限らず、複数の媒体から本実施形態における処理が実行される場合も本発明における記憶媒体に含まれ、媒体構成は何れの構成であってもよい。
【０２４８】
なお、本発明におけるコンピュータは、記憶媒体に記憶されたプログラムに基づき、本実施形態における各処理を実行するものであって、パソコン等の１つからなる装置、複数の装置がネットワーク接続されたシステム等の何れの構成であってもよい。
【０２４９】
また、本発明におけるコンピュータとは、パソコンに限らず、情報処理機器に含まれる演算処理装置、マイコン等も含み、プログラムによって本発明の機能を実現することが可能な機器、装置を総称している。
【０２５０】
なお、本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。  
【符号の説明】
【０２５１】
１０…情報管理装置、１１…バス、１２…不揮発性メモリ、１３…ＣＰＵ、１４…メインメモリ、１５…通信デバイス、２０…利用者端末、３０…第１店舗端末、４０…第２店舗端末、１０１…受付部（オーダー情報受信手段）、１０２…登録部、１０３…管理部（判定手段、店内情報受信手段）、１０４…表示処理部（表示処理手段、提示手段）、１０５…格納部。
【図１】
2020123226.tif 000003
【図２】
2020123226.tif 000004
【図３】
2020123226.tif 000005
【図４】
2020123226.tif 000006
【図５】
2020123226.tif 000007
【図６】
2020123226.tif 000008
【図７】
2020123226.tif 000009
【図８】
2020123226.tif 000010
【図９】
2020123226.tif 000011
【図１０】
2020123226.tif 000012
【図１１】
2020123226.tif 000013
【図１２】
2020123226.tif 000014
【図１３】
2020123226.tif 000015
【図１４】
2020123226.tif 000016
【図１５】
2020123226.tif 000017
【図１６】
2020123226.tif 000018
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
利用者が使用する利用者端末と通信可能に接続される情報管理装置において、
前記利用者端末に対する前記利用者の操作に応じて当該利用者の店舗に対する順番待ちを受け付ける際または当該順番待ちを受け付けた後に、前記店舗において提供される商品またはサービスのオーダーを当該利用者に入力させるオーダー入力画面を前記利用者端末に表示する表示処理手段と、
前記利用者端末に対する前記利用者の操作に応じて前記オーダー入力画面に対して入力された商品またはサービスのオーダーを示すオーダー情報を前記利用者端末から受信するオーダー情報受信手段と、
前記利用者が前記店舗に到着しているかを判定する判定手段と、
前記利用者が前記店舗に到着していると判定された場合、前記受信されたオーダー情報を前記店舗のスタッフに提示する提示手段と、
前記店舗における空席の発生に関する店内情報を受信する店内情報受信手段と
を具備し、
前記提示手段は、前記オーダー情報受信手段によって受信されたオーダー情報を、前記店内情報受信手段によって前記店内情報が受信された場合に前記店舗のスタッフに提示する
情報管理装置。
【請求項２】
前記表示処理手段は、前記利用者の前記店舗に対する順番待ちが受け付けられた場合に、当該利用者に割り当てられた２次元コードを当該利用者が所持する利用者端末に表示し、
前記判定手段は、前記利用者端末に表示された２次元コードが前記店舗に設置されている読み取り装置によって読み取られた場合に、前記利用者が前記店舗に到着していると判定する
請求項１記載の情報管理装置。
【請求項３】
前記表示処理手段は、前記利用者の前記店舗に対する順番待ちが受け付けられた場合に、当該利用者に割り当てられた利用者番号を当該利用者が所持する利用者端末に表示し、
前記判定手段は、前記利用者端末に表示された利用者番号が前記店舗に設置されている店舗端末に入力された場合に、前記利用者が前記店舗に到着している判定する
請求項１記載の情報管理装置。
【請求項４】
前記店内情報は、前記店舗に設置されているＰＯＳレジから送信される、当該店舗を利用した他の利用者に対する会計が完了したことを示す情報を含む請求項１記載の情報管理装置。
【請求項５】
前記店内情報は、前記店舗に導入されているセルフオーダーシステムから送信される、当該店舗を利用している他の利用者によって会計が指示されたことを示す情報または当該店舗を利用している他の利用者のラストオーダーがされたことを示す情報を含む請求項１記載の情報管理装置。
【請求項６】
前記店内情報は、前記店舗のスタッフが所持する端末から送信される、当該店舗を利用した他の利用者が使用したテーブルまたは席が利用可能な状態になったことを示す情報を含む請求項１記載の情報管理装置。
【請求項７】
前記提示手段は、前記オーダー情報を、前記店舗において順番待ちをしている利用者が使用するテーブルまたは席を示す番号情報と対応づけて前記店舗のスタッフに提示する請求項１〜６のいずれか一項に記載の情報管理装置。
【請求項８】
前記店舗において順番待ちをしている利用者に対して空席のテーブルまたは席を割り当てることによって当該利用者を店舗内に自動案内する自動案内システムと更に通信可能に接続されており、
前記自動案内システムにおいて前記利用者に割り当てられたテーブルまたは席を示す番号情報を当該自動案内システムから取得する取得手段を更に具備する
請求項７記載の情報管理装置。
【請求項９】
利用者が使用する利用者端末と通信可能に接続される情報管理装置が実行する情報管理方法であって、
前記利用者端末に対する前記利用者の操作に応じて当該利用者の店舗に対する順番待ちを受け付ける際または当該順番待ちを受け付けた後に、前記店舗において提供される商品またはサービスのオーダーを当該利用者に入力させるオーダー入力画面を前記利用者端末に表示するステップと、
前記利用者端末に対する前記利用者の操作に応じて前記オーダー入力画面に対して入力された商品またはサービスのオーダーを示すオーダー情報を前記利用者端末から受信するステップと、
前記利用者が前記店舗に到着しているかを判定するステップと、
前記利用者が前記店舗に到着していると判定された場合、前記受信されたオーダー情報を前記店舗のスタッフに提示するステップと、
前記店舗における空席の発生に関する店内情報を受信するステップと
を具備し、
前記提示するステップは、前記受信されたオーダー情報を、前記店内情報が受信された場合に前記店舗のスタッフに提示するステップを含む
情報管理方法。
【請求項１０】
利用者が使用する利用者端末と通信可能に接続される情報管理装置のコンピュータによって実行されるプログラムであって、
前記コンピュータに、
前記利用者端末に対する前記利用者の操作に応じて当該利用者の店舗に対する順番待ちを受け付ける際または当該順番待ちを受け付けた後に、前記店舗において提供される商品またはサービスのオーダーを当該利用者に入力させるオーダー入力画面を前記利用者端末に表示するステップと、
前記利用者端末に対する前記利用者の操作に応じて前記オーダー入力画面に対して入力された商品またはサービスのオーダーを示すオーダー情報を前記利用者端末から受信するステップと、
前記利用者が前記店舗に到着しているかを判定するステップと、
前記利用者が前記店舗に到着していると判定された場合、前記受信されたオーダー情報を前記店舗のスタッフに提示するステップと、
前記店舗における空席の発生に関する店内情報を受信するステップと
を実行させ、
前記提示するステップは、前記受信されたオーダー情報を、前記店内情報が受信された場合に前記店舗のスタッフに提示するステップを含む
プログラム。
【手続補正２】
【補正対象書類名】明細書
【補正対象項目名】０００９
【補正方法】変更
【補正の内容】
【０００９】
本発明の１つの態様によれば、利用者が使用する利用者端末と通信可能に接続される情報管理装置が提供される。前記情報管理装置は、表示処理手段と、オーダー情報受信手段と、判定手段と、提示手段と、店内情報受信手段とを具備する。前記表示処理手段は、前記利用者端末に対する前記利用者の操作に応じて当該利用者の店舗に対する順番待ちを受け付ける際または当該順番待ちを受け付けた後に、前記店舗において提供される商品またはサービスのオーダーを当該利用者に入力させるオーダー入力画面を前記利用者端末に表示する。前記オーダー情報受信手段は、前記利用者端末に対する前記利用者の操作に応じて前記オーダー入力画面に対して入力された商品またはサービスのオーダーを示すオーダー情報を前記利用者端末から受信する。前記判定手段は、前記利用者が前記店舗に到着しているかを判定する。前記提示手段は、前記利用者が前記店舗に到着していると判定された場合、前記受信されたオーダー情報を前記店舗のスタッフに提示する。前記店内情報受信手段は、前記店舗における空席の発生に関する店内情報を受信する。前記提示手段は、前記オーダー情報受信手段によって受信されたオーダー情報を、前記店内情報受信手段によって前記店内情報が受信された場合に前記店舗のスタッフに提示する。